(57)【要約】【課題】 リンクとピンとの間における強い摺動を防止して、リンクに強い接触痕が生じることを防止した動力伝達チェーンおよび動力伝達装置を提供する。【解決手段】  チェーン幅方向に並ぶリンク11,21について、前挿通部12,22の後部および後挿通部13,23の前部の大きさが異なるものが使用されている。チェーン幅方向の外側に配置されるリンク21は、図に二点鎖線で示している基準リンクに対して、前挿通部22のピン可動部26および後挿通部23のインターピース可動部29が大きく、これらとピン14およびインターピース15との間の隙間が大きく設定されている。【選択図】    図３
2009079723.tif 000002
【特許請求の範囲】
【請求項１】
ピンが挿通される前後挿通部を有する複数のリンクと、一のリンクの前挿通部と他のリンクの後挿通部とが対応するようにチェーン幅方向に並ぶリンク同士を長さ方向に屈曲可能に連結する複数の第１ピンおよび複数の第２ピンとを備え、一のリンクの前挿通部に固定されかつ他のリンクの後挿通部に移動可能に嵌め入れられた第１ピンと一のリンクの前挿通部に移動可能に嵌め入れられかつ他のリンクの後挿通部に固定された第２ピンとが相対的に転がり接触移動することにより、リンク同士の長さ方向の屈曲が可能とされている動力伝達チェーンにおいて、
チェーン幅方向に並ぶリンクについて、前挿通部の後部および後挿通部の前部の大きさが異なるものが使用されており、チェーン幅方向の中央側にあるリンクとピンとの隙間が、チェーン幅方向の外側にあるリンクとピンとの隙間よりも小さく設定されていることを特徴とする動力伝達チェーン。
【請求項２】
円錐面状のシーブ面を有する第１のプーリと、円錐面状のシーブ面を有する第２のプーリと、これら第１および第２のプーリに掛け渡される動力伝達チェーンとを備え、動力伝達チェーンが請求項１の動力伝達装置。
【発明の詳細な説明】
【技術分野】
【０００１】
この発明は、動力伝達チェーン、さらに詳しくは、自動車等の車両の無段変速機（ＣＶＴ）に好適な動力伝達チェーンおよび動力伝達装置に関する。
【背景技術】
【０００２】
自動車用無段変速機として、図５に示すように、固定シーブ(2a)および可動シーブ(2b)を有しエンジン側に設けられたドライブプーリ(2)と、固定シーブ(3b)および可動シーブ(3a)を有し駆動輪側に設けられたドリブンプーリ(3)と、両者間に架け渡された無端状動力伝達チェーン(1)とからなり、油圧アクチュエータによって可動シーブ(2b)(3a)を固定シーブ(2a)(3b)に対して接近・離隔させることにより、油圧でチェーン(1)をクランプし、このクランプ力によりプーリ(2)(3)とチェーン(1)との間に接触荷重を生じさせ、この接触部の摩擦力によりトルクを伝達するものが知られている。
【０００３】
動力伝達チェーンとしては、特許文献１に、ピンが挿通される前後挿通部を有する複数のリンクと、一のリンクの前挿通部と他のリンクの後挿通部とが対応するようにチェーン幅方向に並ぶリンク同士を長さ方向に屈曲可能に連結する複数の第１ピンおよび複数の第２ピンとを備え、一のリンクの前挿通部に固定されかつ他のリンクの後挿通部に移動可能に嵌め入れられた第１ピンと一のリンクの前挿通部に移動可能に嵌め入れられかつ他のリンクの後挿通部に固定された第２ピンとが相対的に転がり接触移動することにより、リンク同士の長さ方向の屈曲が可能とされているものが提案されている。
【特許文献１】特開２００５−２３３２７５号公報
【発明の開示】
【発明が解決しようとする課題】
【０００４】
特許文献１の動力伝達チェーンでは、チェーン幅方向に並ぶリンクについては、全て同じ形状とされているが、チェーンに作用する張力によって、あるいは、張力が作用した状態でピンがプーリ間に挟持された際に、ピンがチェーン幅方向に大きく撓み、リンクの前後挿通部（「内窓」と称されることもある）とピンとの接触状態が、チェーン幅方向の中央側とチェーン幅方向の外側とで異なってくる。このため、チェーン中央側のリンクでは、ピンとの接触痕は比較的弱いが、外側のリンクでは強い接触痕が発生しやすい。
【０００５】
この発明の目的は、リンクとピンとの間における強い摺動を防止して、リンクに強い接触痕が生じることを防止した動力伝達チェーンおよび動力伝達装置を提供することにある。
【課題を解決するための手段】
【０００６】
この発明による動力伝達チェーンは、ピンが挿通される前後挿通部を有する複数のリンクと、一のリンクの前挿通部と他のリンクの後挿通部とが対応するようにチェーン幅方向に並ぶリンク同士を長さ方向に屈曲可能に連結する複数の第１ピンおよび複数の第２ピンとを備え、一のリンクの前挿通部に固定されかつ他のリンクの後挿通部に移動可能に嵌め入れられた第１ピンと一のリンクの前挿通部に移動可能に嵌め入れられかつ他のリンクの後挿通部に固定された第２ピンとが相対的に転がり接触移動することにより、リンク同士の長さ方向の屈曲が可能とされている動力伝達チェーンにおいて、チェーン幅方向に並ぶリンクについて、前挿通部の後部および後挿通部の前部の大きさが異なるものが使用されており、チェーン幅方向の中央側にあるリンクとピンとの隙間が、チェーン幅方向の外側にあるリンクとピンとの隙間よりも小さく設定されていることを特徴とするものである。
【０００７】
従来、チェーン幅方向に並ぶリンクは、ピン形状に対応して同じ形状の前後挿通部が形成されていたが、この発明の動力伝達チェーンでは、同じピンに嵌められるリンクでありながら、その前挿通部の後部および後挿通部の前部の大きさがチェーン幅方向の中央側とチェーン幅方向の外側とで異なるものとされる。この際、チェーン幅方向の中央側にあるリンクでは、前後挿通部のチェーン進行方向の中央部分（前挿通部の後部および後挿通部の前部）が相対的に小さくされ、チェーン幅方向の外側にあるリンクでは、前後挿通部のチェーン進行方向の中央部分（前挿通部の後部および後挿通部の前部）が相対的に大きくされることで、チェーン幅方向の中央側にあるリンクとピンとの隙間が、チェーン幅方向の外側にあるリンクとピンとの隙間よりも小さく設定される。
【０００８】
チェーン幅方向の中央側にあるリンクとピンとの最小隙間は、例えば、０．０３〜０．０６ｍｍとされ、チェーン幅方向の外側にあるリンクとピンとの最小隙間は、例えば、これよりも、０．０１〜０．１ｍｍ大きいものとされる。
【０００９】
チェーン幅方向に並ぶリンクは、２種類（基準隙間のものおよび隙間大のもの）あればよいが、３種類以上（隙間が大、中、小など）としてもよい。リンクが２種類の場合、例えば、チェーン幅方向の外側に位置する１〜４層のリンクが隙間大のものとされてもよく、チェーン幅方向の中央に位置する２〜８層のリンクが隙間小のものとされてもよい。チェーンは、幅方向同位相の複数のリンクで構成されるリンク列を進行方向（前後方向）に３つ並べて１つのリンクユニットとし、この３列のリンク列からなるリンクユニットを進行方向に複数連結して形成されていることがある。リンク配列が、例えば、９層−８層−８層で、チェーン幅方向に並ぶリンクが２５層となる場合、少なくとも中央にある５層分のリンクが隙間小のものとされることが好ましい。
【００１０】
ピンは、プーリ間に挟持される際に、その端部の変形量が相対的に大きくなるが、端部に嵌められているリンクには、相対的に大きい隙間が設定されているので、ピンとリンクとの間の強い摺動が防止される。これにより、強い接触痕が発生するリンクがなくなり、チェーンの耐久性および信頼性が大幅に向上する。
【００１１】
リンクのピッチ長については、騒音低減の点から、２種類以上とすることが好ましく、この場合には、基準ピッチ長のリンクとピッチ長が異なるリンクとがチェーン方向にランダムに配列される。そして、基準ピッチ長のリンクについて、中央側のものと外側のものとの２種類が製作され、ピッチ長が異なるリンクについても、中央側のものと外側のものとの２種類が製作される。
【００１２】
第１ピンおよび第２ピンは、例えば、いずれか一方の転がり接触面が平坦面とされ、他方の転がり接触面が相対的に転がり接触移動可能なインボリュート曲面に形成される。また、第１ピンおよび第２ピンは、それぞれの接触面が所要の曲面に形成されるようにしてもよい。第２ピンは、第１ピンよりも幅が狭い形状とされることが好ましく、この場合、第２ピンの上下縁部に突出縁部が設けられることがある。
【００１３】
第１ピンおよび第２ピンのうちの一方は、一のリンクの前挿通部の前側部分に設けられたピン固定部に固定されかつ他のリンクの後挿通部の前側部分に設けられたピン可動部に移動可能に嵌め入れられ、同他方は、一のリンクの前挿通部の後側部分に設けられたピン可動部に移動可能に嵌め入れられかつ他のリンクの後挿通部の後側部分に設けられたピン固定部に固定されていることが好ましい。
【００１４】
ピン固定部へのピンの固定は、例えば、機械的圧入によるピン固定部内縁とピン外周面との嵌合固定とされるが、これに代えて、焼き嵌めまたは冷やし嵌めによってもよい。嵌合固定は、ピン固定部の長さ方向に対して直交する部分の縁（上下の縁）で行われるのが好ましい。この嵌合固定の後、予張力付与工程において予張力が付与されることにより、リンクのピン固定部（ピン圧入部）に均等にかつ適正な残留圧縮応力が付与される。
【００１５】
この発明による動力伝達チェーンでは、第１ピンおよび第２ピンの少なくとも一方がプーリと接触して摩擦力により動力伝達する。いずれか一方のピンがプーリと接触するチェーンにおいては、第１ピンおよび第２ピンのうちのいずれか一方は、このチェーンが無段変速機で使用される際にプーリに接触する方のピン（以下では、「第１ピン」または「ピン」と称す）とされ、他方は、プーリに接触しない方のピン（インターピースまたはストリップと称されており、以下では、「第２ピン」または「インターピース」と称す）とされる。
【００１６】
リンクは、例えば、ばね鋼や炭素工具鋼製とされる。リンクの材質は、ばね鋼や炭素工具鋼に限られるものではなく、軸受鋼などの他の鋼でももちろんよい。リンクは、前後挿通部がそれぞれ独立の貫通孔（柱有りリンク）とされていてもよく、前後挿通部が１つの貫通孔（柱無しリンク）とされていてもよい。ピンの材質としては、軸受鋼などの適宜な鋼が使用される。
【００１７】
なお、この明細書において、リンクの長さ方向の一端側を前、同他端側を後としているが、この前後は便宜的なものであり、リンクの長さ方向が前後方向と常に一致することを意味するものではない。
【００１８】
上記の動力伝達チェーンは、いずれか一方のピン（インターピース）が他方のピン（ピン）よりも短くされ、長い方のピンの端面が無段変速機のプーリの円錐状シーブ面に接触し、この接触による摩擦力により動力を伝達するものであることが好ましい。各プーリは、円錐状のシーブ面を有する固定シーブと、固定シーブのシーブ面に対向する円錐状のシーブ面を有する可動シーブとからなり、両シーブのシーブ面間にチェーンを挟持し、可動シーブを油圧アクチュエータによって移動させることにより、無段変速機のシーブ面間距離したがってチェーンの巻き掛け半径が変化し、スムーズな動きで無段の変速を行うことができる。
【００１９】
この発明による動力伝達装置は、円錐面状のシーブ面を有する第１のプーリと、円錐面状のシーブ面を有する第２のプーリと、これら第１および第２のプーリに掛け渡される動力伝達チェーンとを備えたもので、動力伝達チェーンが上記に記載のものとされる。
【００２０】
この動力伝達装置は、自動車等の車両の無段変速機としての使用に好適なものとなる。
【発明の効果】
【００２１】
この発明の動力伝達チェーンおよび動力伝達装置によると、プーリ間に挟持される際に、ピンの端部の変形量が相対的に大きくなるが、ピン端部に嵌められているリンクには、相対的に大きい隙間が設定されているので、ピンとリンクとの間の強い摺動が防止され、これにより、強い接触痕が発生するリンクがなくなり、チェーンの耐久性および信頼性が大幅に向上することができる。
【発明を実施するための最良の形態】
【００２２】
以下、図面を参照して、この発明の実施形態について説明する。以下の説明において、上下は、図２の上下をいうものとする。
【００２３】
図１は、この発明による動力伝達チェーンの一部を示しており、動力伝達チェーン(1)は、チェーン長さ方向に所定間隔をおいて設けられた前後挿通部(12)(13)(22)(23)を有する複数のリンク(11)(21)と、チェーン幅方向に並ぶリンク(11)(21)同士を長さ方向に屈曲可能に連結する複数のピン（第１ピン）(14)およびインターピース（第２ピン）(15)とを備えている。インターピース(15)は、ピン(14)よりも短くなされ、両者は、インターピース(15)が前側に、ピン(14)が後側に配置された状態で対向させられている。
【００２４】
チェーン(1)は、幅方向同位相の複数のリンクで構成されるリンク列を進行方向（前後方向）に３つ並べて１つのリンクユニットとし、この３列のリンク列からなるリンクユニットを進行方向に複数連結して形成されている。この実施形態では、リンク枚数が９枚（９層）のリンク列とリンク枚数が８枚（８層）のリンク列２つとが１つのリンクユニットとされている。
【００２５】
チェーン幅方向に並ぶリンクについて、図２に示す基準リンク(11)と図３に示す隙間大リンク(21)との２種類のものが使用されている。
【００２６】
図２に示すように、基準リンク(11)の前挿通部(12)は、ピン(14)が移動可能に嵌め合わせられるピン可動部(16)およびインターピース(15)が固定されるインターピース固定部(17)からなり、後挿通部(13)は、ピン(14)が固定されるピン固定部(18)およびインターピース(15)が移動可能に嵌め合わせられるインターピース可動部(19)からなる。
【００２７】
各ピン(14)は、インターピース(15)に比べて前後方向の幅が広くなされており、インターピース(15)の上下縁部には、各ピン(14)側にのびる突出縁部(15a)(15b)が設けられている。
【００２８】
リンク(11)のピン固定部(18)とインターピース可動部(19)との境界部分には、インターピース可動部(19)の上下の凹円弧状案内部(19a)(19b)にそれぞれ連なりピン固定部(18)に固定されているピン(14)を保持する上下の凸円弧状保持部(18a)(18b)が設けられている。同様に、インターピース固定部(17)とピン可動部(16)との境界部分には、ピン可動部(16)の上下の凹円弧状案内部(16a)(16b)にそれぞれ連なりインターピース固定部(17)に固定されているインターピース(15)を保持する上下の凸円弧状保持部(17a)(17b)が設けられている。
【００２９】
同様に、図３に示すように、隙間大リンク(21)の前挿通部(22)は、ピン(14)が移動可能に嵌め合わせられるピン可動部(26)およびインターピース(15)が固定されるインターピース固定部(27)からなり、後挿通部(23)は、ピン(14)が固定されるピン固定部(28)およびインターピース(15)が移動可能に嵌め合わせられるインターピース可動部(29)からなる。
【００３０】
リンク(11)のピン固定部(28)とインターピース可動部(29)との境界部分には、インターピース可動部(29)の上下の凹円弧状案内部(29a)(29b)にそれぞれ連なりピン固定部(28)に固定されているピン(14)を保持する上下の凸円弧状保持部(28a)(28b)が設けられている。同様に、インターピース固定部(27)とピン可動部(26)との境界部分には、ピン可動部(26)の上下の凹円弧状案内部(26a)(26b)にそれぞれ連なりインターピース固定部(27)に固定されているインターピース(15)を保持する上下の凸円弧状保持部(27a)(27b)が設けられている。
【００３１】
図３において、二点鎖線で示しているのは、基準リンク(11)の前後挿通部(12)(13)であり、隙間大リンク(21)は、図２のものに比べて、前挿通部(22)の後部（すなわちピン可動部）(26)および後挿通部(23)の前部（すなわちインターピース可動部）(29)が大きく形成されている。この結果、インターピース可動部(29)の上下の凹円弧状案内部(29a)(29b)とインターピース(15)の上下面との間には、図２の基準リンク(11)に比べて大きい隙間が形成されており、また、ピン可動部(26)の上下の凹円弧状案内部(26a)(26b)とピンとの間にも、基準リンク(11)に比べて大きい隙間が形成されている。
【００３２】
チェーン幅方向に並ぶリンク(11)(21)を連結するに際しては、一のリンク(11)(21)の前挿通部(12)(22)と他のリンク(11)(21)の後挿通部(13)(23)とが対応するようにリンク(11)(21)同士が重ねられ、ピン(14)が一のリンク(11)(21)の後挿通部(13)(23)の後部にあるピン固定部(18)(28)に固定されかつ他のリンク(11)(21)の前挿通部(12)(22)の後部にあるピン可動部(16)(26)に移動可能に嵌め合わせられ、インターピース(15)が一のリンク(11)(21)の後挿通部(13)(23)の前部にあるインターピース可動部(19)(29)に移動可能に嵌め合わせられかつ他のリンク(11)(21)の前挿通部(12)(22)の前部にあるインターピース固定部(17)(27)に固定される。そして、このピン(14)とインターピース(15)とが相対的に転がり接触移動することにより、リンク(11)(21)同士の長さ方向（前後方向）の屈曲が可能とされる。
【００３３】
図１において、図２に示した基準リンク(11)は、９層のリンク列の中央の１枚、８層のリンク列の中央の各２枚の計５枚分（図１にＣで示す範囲に）使用されており、その他の箇所（図１にＬおよびＲで示す範囲、すなわち、９層のリンク列の中央を除いた８枚および８層のリンク列の外寄り各６枚の計２０枚分）には、図３に示した隙間大リンク(21)が使用されている。
【００３４】
ピン(14)を基準としたピン(14)とインターピース(15)との接触位置の軌跡は、円のインボリュートとされており、この実施形態では、ピン(14)の転がり接触面(14a)が、断面において半径Ｒｂ、中心Ｍの基礎円を持つインボリュート曲線とされ、インターピース(15)の転がり接触面(15c)が平坦面（断面形状が直線）とされている。これにより、各リンク(11)(21)がチェーン(1)の直線領域から曲線領域へまたは曲線領域から直線領域へと移行する際、前挿通部(12)(22)においては、ピン(14)が固定状態のインターピース(15)に対してその転がり接触面(14a)がインターピース(15)の転がり接触面(15c)に転がり接触（若干のすべり接触を含む）しながらピン可動部(16)(26)内を移動し、後挿通部(13)(23)においては、インターピース(15)がインターピース可動部(19)(29)内を固定状態のピン(14)に対してその転がり接触面(15c)がピン(14)の転がり接触面(14a)に転がり接触（若干のすべり接触を含む）しながら移動する。
【００３５】
図２および図３において、符号ＡおよびＢで示す箇所は、チェーン(1)の直線領域においてピン(14)とインターピース(15)とが接触している線（断面では点）であり、ＡＢ間の距離がピッチ長である。
【００３６】
この動力伝達チェーン(1)では、ピンの上下移動の繰り返しにより、多角形振動が生じ、これが騒音の要因となるが、ピン(14)とインターピース(15)とが相対的に転がり接触移動しかつピン(14)を基準としたピン(14)とインターピース(15)との接触位置の軌跡が円のインボリュートとされていることにより、ピンおよびインターピースの接触面がともに円弧面である場合などと比べて、振動を小さくすることができ、騒音を低減することができる。
【００３７】
この動力伝達チェーン(1)は、図５に示すＶ型プーリ式ＣＶＴで使用されるが、この際、図４に示すように、プーリ軸(2e)を有するプーリ(2)の固定シーブ(2a)および可動シーブ(2b)の各円錐状シーブ面(2c)(2d)にインターピース(15)の端面が接触しない状態で、ピン(14)の端面がプーリ(2)の円錐状シーブ面(2c)(2d)に接触し、この接触による摩擦力により動力が伝達される。
【００３８】
実線で示した位置にあるドライブプーリ(2)の可動シーブ(2b)を固定シーブ(2a)に対して接近・離隔させると、ドライブプーリ(2)における巻き掛け径は、同図に鎖線で示すように、接近時には大きく、離隔時には小さくなる。ドリブンプーリ(3)では、図示省略するが、その可動シーブがドライブプーリ(2)の可動シーブ(2b)とは逆向きに移動し、ドライブプーリ(2)の巻き掛け径が大きくなると、ドリブンプーリ(3)の巻き掛け径が小さくなり、ドライブプーリ(2)の巻き掛け径が小さくなると、ドリブンプーリ(3)の巻き掛け径が大きくなる。この結果、変速比が１：１である状態（初期値）を基準にして、ドライブプーリ(2)の巻き掛け径が最小で、ドリブンプーリ(3)の巻き掛け径が最大であるＵ／Ｄ（アンダードライブ）状態が得られ、また、ドライブプーリ(2)の巻き掛け径が最大で、ドリブンプーリ(3)の巻き掛け径が最小のＯ／Ｄ（オーバードライブ）状態が得られる。
【００３９】
チェーン(1)に張力が作用した状態で円錐状シーブ面(2c)(2d)間に挟持された際に、ピン(14)には撓みが発生し、リンク(11)がすべて図２の形状であると、チェーン幅方向に大きく撓んだピン(14)とピン(14)端部に嵌められたリンク(11)とが強く接触し、リンク(11)の屈曲に伴ってピン(14)とリンク(11)とが強く摺動することで、リンク(11)に強い接触痕が発生することがある。図３に示した隙間大リンク(21)は、強い接触痕を防止するためのもので、この隙間大リンク(21)が図１にＬおよびＲで示されている範囲においてピン(14)に嵌められていることにより、ピン(14)端部におけるピン(14)とリンク(21)との間の強い摺動が防止される。これにより、いずれのリンク(11)(21)にも強い接触痕が発生することがなく、チェーン(1)の耐久性および信頼性が大幅に向上する。
【００４０】
なお、上記において、図２に示したリンク(11)と図３に示したリンク(21)との比率は、２５層のうちの５層が基準リンク(11)としたが、これに限られるものではなく、基準リンク(11)を７層や１１層などとしてももちろんよい。また、図１に示した９層−８層−８層の配列に代えて、７層−７層−７層の配列や７層−６層−６層の配列とした場合であっても、図２に示したリンク(11)と図３に示したリンク(21)とを適宜な比率で使用することでいずれのリンク(11)(21)についても強い接触痕をなくすことができる。
【図面の簡単な説明】
【００４１】
【図１】図１は、この発明による動力伝達チェーンの１実施形態の一部を示す平面図である。
【図２】図２は、基準リンク、ピンおよびインターピースの形状を示す拡大側面図である。
【図３】図３は、隙間が大きいリンクの形状を示す拡大側面図である。
【図４】図４は、動力伝達チェーンがプーリに取り付けられた状態を示す正面図である。
【図５】図５は、無段変速機を示す斜視図である。
【符号の説明】
【００４２】
(1)         動力伝達チェーン
(2)(3)      プーリ
(2a)(3b)    固定シーブ
(2b)(3a)    可動シーブ
(2c)(2d)    円錐状シーブ面
(11)        リンク（基準ピッチ長リンク）
(12)        前挿通部
(13)        後挿通部
(14)        ピン（第１ピン）
(15)        インターピース（第２ピン）
(21)        リンク（隙間大リンク）
(22)        前挿通部
(23)        後挿通部
【図１】
2009079723.tif 000003
【図２】
2009079723.tif 000004
【図３】
2009079723.tif 000005
【図４】
2009079723.tif 000006
【図５】
2009079723.tif 000007